(57)【特許請求の範囲】
【請求項１】
商品の一部を覆って、意匠性よく陳列するための包装材であって、一枚のシートからなるものであり、
該シートが実質的に同一である長方形のシート本体１ａ、１ｂを、包装する際の商品の厚さに相当する帯部２を介して前後に有するものであり、前方のシート本体１ａの左右側辺には、前記帯部２と実質的に同一幅の折り曲げ部４を介して、延長片３ａ、３ｂが設けられており、かつ、これら延長片３ａ、３ｂの左右端部には、それらを重ね合わせて係止するため係止手段５ａ、５ｂが設けられていること、及び
後方のシート本体１ｂの左右側辺には、前記帯部２より細幅の折り曲げ部６を介して、延長片７ａ、７ｂが設けられており、これら延長片７ａ、７ｂの左右端部には、これらを重ね合わせて係止するため係止手段８ａ、８ｂが設けられていること、及び
後方のシート本体１ｂと前記折り曲げ部６の間には、前方のシート本体１ａの折り曲げ部４に続く延長片３ａ、３ｂを係止できるスリット９が設けられていることを特徴とする商品の包装材。
【請求項２】
前記帯部２にハンガーの鉤部材１０を装着するための開口１１が設けれてている請求項１の包装材。
【請求項３】
前方のシート本体１ａの左右に設けられた前記延長片３ａ、３ｂは、下辺がシート本体と実質的に同一位置にあり、高さがシート本体の高さの２０〜６０％であり、かつ
後方のシート本体１ｂの左右に設けられた前記延長片７ａ、７ｂは、下辺がシート本体と実質的に同一位置にあり、高さがシート本体の高さの６０〜９５％である請求項１の包装材。
【請求項４】
前記スリット９の高さが、前方のシート本体１ａの左右に設けられた前記延長片３ａ、３ｂの高さと実質的に同一である請求項１の包装材。
【発明の詳細な説明】
【０００１】
【発明の属する技術分野】
本発明は、衣類等の商品を、意匠性よく陳列するための包装材に関する。
【０００２】
【従来の技術】
従来、靴下やトランクス等の商品をハンガーで吊り下げるなどして陳列・販売することは広く実施されている。しかし、表裏が明らかに異なり、表裏逆になったものが混ざった場合には、違和感があり、意匠性が悪くなり、陳列されたものの商品価値まで下げる恐れがあった。
【０００３】
【発明が解決しようとする課題】
本発明は、衣類等の商品を、表裏いずれからみても意匠性よく陳列できる商品の包装材を提供することを課題とする。
【０００４】
【課題を解決するための手段】
本発明の包装材は、一枚のシートからなるものとし、下記の如く、商品（例えば、衣類等を折り畳んだもの）の頭部を全体に覆うことができるものとすることによって、上記課題を解決した。
【０００５】
このシートは、実質的に同一である長方形のシート本体を、包装する際の商品の厚さに相当する帯部を介して前後に有するものであり、前方のシート本体の左右側辺には、前記帯部と実質的に同一幅の折り曲げ部を介して、延長片を設けたものであり、この延長片の左右端部には、それらを重ね合わせて係止するため係止手段が設けられている。
また、後方のシート本体の左右側辺には、前記帯部より細幅の折り曲げ部を介して、延長片が設けられており、これら延長片の左右端部には、これらを重ね合わせて係止するため係止手段が設けられており、更に、後方のシート本体とその左右に設けられた折り曲げ部の間には、前方のシート本体の折り曲げ部に続く延長片を係止できるスリットが設けられている。なお、このスリットの上端には、前方の延長片の係止が安定して実施できるように、小円形の切欠きを設けるのが好ましい。
【０００６】
なお、前方のシート本体の左右に設けられた延長片は、下辺がシート本体と実質的に同一位置にあり、高さがシート本体の高さの２０〜６０％程度であるのが好ましく、また、後方のシート本体の左右に設けられた延長片は、下辺がシート本体と実質的に同一位置にあり、高さがシート本体の高さの９５〜６０％程度であるのが好ましい。
【０００７】
更に、このシートには、前記帯部に、ハンガーの鉤部材を装着するための開口を設け、商品を吊り下げて陳列可能としてもよい。
【０００８】
また、後方のシート本体の左右の折り曲げ部は、上部に前方のシート本体の左右の折り曲げ部が重なっても、意匠性よく落ち着きがよいように、上方はシート本体から延長片に向けて傾斜するように上端が欠けた状態とし、また下端側も切り欠いた状態とするのがよく、更に、後方のシート本体と折り曲げ部の間に設けたスリットは、前方の延長片の高さと実質的に同一高さ（深さ）となるように設けるのがよい。
【０００９】
【発明の実施の形態】
かかる本発明のシートの一例を図１に示す。このシートは、長さ１２６ｍｍ、高さ４６ｍｍのシート本体１ａ、１ｂを、長さ１２６ｍｍ、幅８ｍｍの帯部２を介して前後に有するものであり、前方のシート本体１ａの左右側辺には、８ｍｍ幅の折り曲げ部４が、シート本体１ａと同一高さで、突出して設けられ、該折り曲げ部４に引き続いて延長片３ａ、３ｂ（長さ７８ｍｍ、高さ２３ｍｍ）が設けられている。なお、延長片３ａ、３ｂの下辺の位置は、シート本体１ａの下辺と実質的に同一であり、延長片３ａ、３ｂの左右端部には、それらを重ね合わせて係止するため（スリットと切欠きからなる）係止手段５ａ、５ｂが設けられている。
【００１０】
また、後方のシート本体１ｂの左右側辺には、前記帯部２より細い幅５ｍｍの折り曲げ部６が設けられ、この折り曲げ部６に引き続いて長さ８１ｍｍ、高さ４０ｍｍの延長片７ａ、７ｂが設けられている。これら延長片７ａ、７ｂの下辺は、シート本体１ｂの下辺の延長部に位置するようになっており、延長片７ａ、７ｂの左右端部には、これらを重ね合わせて係止するため係止手段８ａ、８ｂとして円弧状のスリットが設けられている。なお、後方のシート本体１ｂとその左右の折り曲げ部６の間には、前方のシート本体１ａの延長片３ａ、３ｂの折り曲げ部４側を係止できるようにスリット９が設けられている。このスリット９の深さ（高さ）は、そこに係止する延長片３ａ、３ｂの高さと同様、２３ｍｍとなっており、その上端は、２ｍｍ径の円形の切欠き１３となっている。
【００１１】
なお、この例では、使用時に頂部となる帯部２には、ハンガーの鉤部材１０を装着するための開口１１が設けられている。
【００１２】
その使用状態は図２に示す通りである。まず、シートを広げた状態で、商品１２（この例ではトランクスを折り畳んだもの）の表面に当て（図２のＡ参照）、次いで、後方のシート本体１ｂの折り曲げ部６を折り曲げ、商品１２の裏側で、延長片７ａ、７ｂを商品１２を覆うように重ね合わせ、係止手段８ａ、８ｂを係止して、商品１２を保持し（図２のＢ参照）、その後、帯部２が頂部となるように、商品１２を折り曲げ（図２のＣ参照）、前方のシート本体１ａの折り曲げ部４を折り曲げ、それに続く延長片３ａ、３ｂを、前方のシート本体１ａの両脇にあるスリット９に通して、前方のシート本体１ａの裏面で、商品１２を抱え込むように、重ね合わせ、係止手段５ａ、５ｂを係止する（図２のＤ、Ｅ参照）。
延長片３ａ、３ｂは、スリット９を通して、シート本体１ａの裏面で係止されるが、スリット９の上端に小円形の切欠き１３が存在するため、延長片３ａ、３ｂの挿入により、スリット９の上端が不当に破壊されることなく、安定した操作が可能となる。
【００１３】
その結果、商品１２は、頭部をキャップで覆ったような状態となり、表裏差異のない状態で、非常に安定して、意匠性よく、商品の陳列を可能とする。
【００１４】
【発明の効果】
本発明の包装材は、一枚のシートを単に折り畳んで使用できる（止め金具等を全く必要としない）ため、非常に扱い易い。また、商品の頭部を表裏違和感なく、全体に均一に覆った状態で使用できるため、商品を意匠性よく陳列できる。
【図面の簡単な説明】
【図１】本発明の一例を示すシートの平面図である。
【図２】図１の例の使用状態を示す説明図である。
【図３】図１の例で使用した鉤部材の正面図である。
【符号の説明】
１ａ、１ｂ  シート本体
２          帯部
３ａ、３ｂ  延長片
４          折り曲げ部
５ａ、５ｂ  係止手段
６          折り曲げ部
７ａ、７ｂ  延長片７ａ、７ｂ
８ａ、８ｂ  係止手段
９          スリット
１０          鉤部材
１１          開口
１２          商品
１３          円形の切欠き
【図１】
0003571665.tif 000002
【図２】
0003571665.tif 000003
【図３】
0003571665.tif 000004